(57)【特許請求の範囲】
【請求項１】
容器体口頸部に嵌合させる装着筒３から主柱筒４を起立し、該主柱筒の中間部前面からシリンダ５を、かつ主柱筒の上部前面から射出筒６を、それぞれ前方突出すると共に、射出筒前部に上端部を枢着させて垂下するトリガー13の上部後面へ、上記シリンダ内へ前方付勢して嵌合させた閉塞筒状のプランジャ16前面を係合させ、上記トリガー操作で容器体内液体を吸込み弁８を介してシリンダ内へ吸込み、かつ吐出弁９を介して射出筒前端のノズル12から噴霧するよう設けたトリガー式噴霧器において、
上記プランジャ16前部をトリガー13上部に対して枢着させると共に、トリガー13の射出筒６に対する枢着部分から上方へ揺動部24を突設し、該揺動部と上記主柱筒４とを伸縮自在のゴム又は合成樹脂製の弾性リング28で掛け止めしてトリガー下部を前方付勢させてなり、かつその弾性リング28は、上記揺動部上端に穿設した掛止溝25と、上記主柱筒４の上部後面に固着した掛止部材27が有する掛止溝26との間に張架させたことを特徴とするトリガー式噴霧器。
【請求項２】
弾性リングが複数の環30を互いに周の一部を共有するように連結させた構造の弾性帯29である請求項１記載のトリガー式噴霧器。
【発明の詳細な説明】
【０００１】
【発明の技術分野】
本発明はトリガー式の噴霧器に関する。
【０００２】
【従来の技術】
例えば実開平6‐34758 号が示すトリガー式噴霧器の従来例は、図４のような構成を有する。図４において１は口頸部を起立する容器体であり、２はトリガー式液体噴霧器で、上記口頸部外面へ螺合させた装着筒３から主柱筒４を起立し、該主柱筒４の中間部前面からはシリンダ５を、かつ上部前面からは射出筒６を、それぞれ前方へ突出している。
【０００３】
主柱筒４は吸上げ筒７を嵌合させ内外二重筒状に形成し、吸上げ筒７には吸込み弁８、吐出弁９がそれぞれ設けてあり、吸上げ筒７の下部からは吸上げパイプ10を容器体内へ垂設している。
【０００４】
射出筒６前端にはノズルキャップ11を回動可能に嵌合させており、その回動によりノズル孔12が開閉可能とする。又射出筒前部の左右両側へ、二股に形成した上端部を枢着させてトリガー13を垂設し、該トリガーの上部後面から突出する突部14へ、既述シリンダ５内へスプリング15により前方付勢して嵌合させたプランジャ16の前端を係合させている。
【０００５】
【発明が解決しようとする課題】
上記のような従来のトリガー式噴霧器は、プランジャ前方付勢用としてのスプリングを金属で、又他の部材を合成樹脂材で形成しているが、資源再利用のためには金属と合成樹脂材とを分別して廃棄することが必要となり、このようにすることは消費者にとって可成り面倒となる。該面倒を除くためには上記スプリングを合成樹脂材で成形して、全体を合成樹脂材だけで形成すれば、そのまま部材を分別することなく廃棄することが出来る。
【０００６】
請求項１記載のトリガー式噴霧器の目的は、トリガー式噴霧器を構成する全部材を合成樹脂材で形成すると共に、金属製スプリングの代りにゴムまたは樹脂製の弾性リングを適切に配置して使用することにより、金属製スプリングを用いることに伴なう上記欠点を除去することである。
【０００７】
請求項２記載のトリガー式噴霧器の目的は、上記目的と共に上記リングに代えて弾性帯を、トリガー操作による外力に対して高弾性を保ちながら、耐久性を高くすることにある。
【０００８】
【課題を解決するための手段】
第１の手段として、容器体口頸部に嵌合させる装着筒３から主柱筒４を起立し、該主柱筒の中間部前面からシリンダ５を、かつ主柱筒の上部前面から射出筒６を、それぞれ前方突出すると共に、射出筒前部に上端部を枢着させて垂下するトリガー13の上部後面へ、上記シリンダ内へ前方付勢して嵌合させた閉塞筒状のプランジャ16前面を係合させ、上記トリガー操作で容器体内液体を吸込み弁８を介してシリンダ内へ吸込み、かつ吐出弁９を介して射出筒前端のノズル12から噴霧するよう設けたトリガー式噴霧器において、上記プランジャ16前部をトリガー13上部に対して枢着させると共に、トリガー13の射出筒６に対する枢着部分から上方へ揺動部24を突設し、該揺動部と上記主柱筒４とを伸縮自在のゴム又は合成樹脂製の弾性リング28で掛け止めしてトリガー下部を前方付勢させてなり、かつその弾性リング28は、上記揺動部上端に穿設した掛止溝25と、上記主柱筒４の上部後面に固着した掛止部材27が有する掛止溝26との間に張架させた。
【０００９】
第２の手段として、上記第１の手段を有すると共に、弾性リングを複数の環30を互いに周の一部を共有するように連結させた構造の弾性帯29とした。
【００１０】
【発明の実施の形態】
図１の状態で、弾性リング28の張力に抗してトリガー13を引き寄せるとプランジャ16が後方移動することでシリンダ内が高圧化し、吐出弁９を開くことで射出筒前端のノズル12から液体を噴霧する。トリガーの引寄を解除すると、弾性リング28の張力が作用してプランジャ16が前進してシリンダ５内を負圧化し、液体がパイプ10、吸込み弁８を通して吸上げ筒７内に供給される。
【００１１】
図１は図４と基本構造および作動原理が共通する本発明のトリガー式噴霧器の透視側面図であり、図２はその透視平面図である。尚本発明のトリガー式噴霧器は通常の噴霧のほかノズルの構造を変えて発泡噴霧や液体、クリーム等の注出などに適用することもできる。
【００１２】
図４と同一の要素を同一符号で表すと、図１に示した例では図４の例のトリガー突部14の代りにプランジャ16とトリガー13との枢着手段である軸23、そして上記金属製スプリングに代えて合成樹脂製ないしゴム製の弾性リング28がそれぞれ組み込まれている。
【００１３】
射出筒６前部両側より突設されたピン21に、両袖フランジ部22の孔を嵌め合わせて枢着された断面コ字形のトリガ−13が垂下している。該トリガーのピン21より下側には、プランジャ16先端部の左右両側に付設した軸23をトリガー両袖フランジ部22の穴に嵌め合わせることで、プランジャ16がトリガー13に枢着されている。
【００１４】
図示のように、トリガー13は射出筒への枢着部より上方へ揺動部24を突設し、該揺動部上端には掛止溝25を穿設し、また主柱筒４の上部後面には掛止溝26を有する掛止部材27が固着され、これら掛止溝25と掛止溝26との間に弾性リング28を張架させている。
【００１５】
弾性リングは図３に示すように複数の環30を互いに周の一部を共有するように連結した弾性帯29でもよく、この場合は両端の環部分をそれぞれ掛止溝25および掛止溝26に掛け止めすればよい。
なお、弾性リング28および弾性帯29としてはゴムあるいはゴム様の弾性を有する樹脂を用いることができる。
【００１６】
【発明の効果】
本発明は既述構成とするものであり、請求項１のトリガー式噴霧器は上記構成としたから、従来の金属製スプリングの代りにゴムあるいは樹脂製の弾性リング28を用いるため、分別廃棄が不要となり、資源再利用の観点から大いに有利である。
【００１７】
請求項２のトリガー式噴霧器の場合は、弾性帯29がトリガー操作による外力に対して弾性リング28と同等の高弾性を保ちながら、環同志の重合した部分が補強ビームの役割を果たすことで耐久性を向上できる。
【図面の簡単な説明】
【図１】  本発明のトリガー式噴霧器の透視側面図である。
【図２】  図１噴霧器の透視平面図である。
【図３】  弾性リングの変形例の平面図である。
【図４】  従来のトリガー式噴霧器の縦断面図である。
【符号の説明】
４…主柱筒                  ５…シリンダ            ６…射出筒
13…トリガー                15…プランジャ          24…揺動部
28…弾性リング              29…弾性帯
【図１】
0003657364.tif 000002
【図２】
0003657364.tif 000003
【図３】
0003657364.tif 000004
【図４】
0003657364.tif 000005